(57)【要約】  ポンプ装置は、駆動モータ（１４）と、この駆動モータ（１４）を操作するための制御電子装置（１８）が配置される第１のハウジング（２）と、を備える。操作装置（２０）は、少なくとも１つのディスプレイ要素又は操作要素（２６、２８、３０）を含んで構成される。操作装置（２０）は、少なくとも２つの異なる位置で第１のハウジング（２）と着脱可能に結合可能である。【選択図】図１
2013517423.tif 000002
【特許請求の範囲】
【請求項１】
駆動モータ（１４）と、該駆動モータ（１４）を操作するための制御電子装置（１８）が配置される第１のハウジング（２）と、を備えるポンプ装置であって、
少なくとも１つのディスプレイ要素及び／又は操作要素（２６、２８、３０）を含んで構成される操作装置（２０）を有し、
該操作装置（２０）は、少なくとも２つの異なる位置で前記第１のハウジング（２）と結合可能であるか、又は、少なくとも１つの位置で前記第１のハウジング（２）と結合可能でありかつその代わりに前記第１のハウジング（２）の外部に配置可能であることを特徴とするポンプ装置。
【請求項２】
前記操作装置（２０）は、前記制御電子装置（１８）と信号接続されることを特徴とする請求項１に記載のポンプ装置。
【請求項３】
前記操作装置（２０）は、前記第１のハウジング（２）と摩擦結合的及び／又は形状結合的に着脱可能に結合可能であることを特徴とする請求項１又は請求項２に記載のポンプ装置。
【請求項４】
前記操作装置（２０）は、少なくとも２つの異なる位置で第１のハウジング（２）と結合可能であり、前記異なる位置では、前記少なくとも１つのディスプレイ要素又は操作要素（２６、２８、３０）が、異なる空間方向に向き、好ましくは互いに直交する空間方向に向くことを特徴とする請求項１〜請求項３のいずれか１つに記載のポンプ装置。
【請求項５】
前記操作装置（２０）は、前記第１のハウジング（２）の、異なる方向に向けられた少なくとも２つの面に配置されて、前記第１のハウジング（２）と結合可能であることを特徴とする請求項１〜請求項４のいずれか１つに記載のポンプ装置。
【請求項６】
前記第１のハウジング（２）は多面体であり、好ましくは略直方体形状であり、前記操作装置（２０）は少なくとも２つの異なる側壁（３２、３４、３６）に配置されて前記第１のハウジング（２）と結合可能であり、好ましくは３つの異なる側壁（３２、３４、３６）に配置されて前記第１のハウジング（２）と結合可能であることを特徴とする請求項１〜請求項５のいずれか１つに記載のポンプ装置。
【請求項７】
前記第１のハウジング（２）は第１の壁（３８）を含んで構成され、該第１の壁（３８）を通して前記操作装置（２０）との信号接続がもたらされ、前記操作装置（２０）は２つの接触面（４４、４８）を含んで構成され、これら接触面のうち第１の接触面（４４）は、前記第１のハウジング（２）の前記第１の壁（３８）と接触し、第２の接触面（４８）は、前記第１の壁（３８）に隣接する前記第１のハウジング（２）の少なくとも２つの壁（３２、３４、３６）と接触することを特徴とする請求項１〜請求項６のいずれか１つに記載のポンプ装置。
【請求項８】
前記操作装置（２０）の２つの接触面（４４、４８）は互いに角度が付けられて延在し、好ましくは互いに９０°の角度を成して延在することを特徴とする請求項７に記載のポンプ装置。
【請求項９】
前記少なくとも１つのディスプレイ要素又は操作要素（２６、２８、３０）は前面（２４）に配置され、該前面（２４）は、前記操作装置（２０）の１つの接触面（４４、４８）に対して角度が付けられて延在し、好ましくは前記操作装置（２０）の２つの接触面（４４、４８）の両方に対して角度が付けられて延在することを特徴とする請求項７又は請求項８に記載のポンプ装置。
【請求項１０】
前記前面（２４）は、５°〜８０°の範囲内の角度αで前記２つの接触面（４４、４８）の少なくとも一方に対して角度が付けられ、好ましくは１０°〜６０°の範囲内の角度αで前記２つの接触面（４４、４８）の少なくとも一方に対して角度が付けられ、特に１５°〜３０°の角度αで前記２つの接触面（４４、４８）の少なくとも一方に対して角度が付けられることを特徴とする請求項９に記載のポンプ装置。
【請求項１１】
前記ハウジング（２）の前記第１の壁（３８）には、好ましくは円形状の開口（４０）が形成されており、該開口（４０）を通って信号線（４５）が前記操作装置（２０）につながることを特徴とする請求項７〜請求項１０のいずれか１つに記載のポンプ装置。
【請求項１２】
前記開口（４０）の中心点（Ａ）は、前記第１の壁（３８）に隣接し、かつ、前記操作装置（２０）が位置決めされ得る少なくとも２つの壁（３２、３４、３６）の各々の縁から同じ距離で離隔していることを特徴とする請求項１１に記載のポンプ装置。
【請求項１３】
前記第１のハウジング（２）は、内部に前記駆動モータ（１４）が配置されるモータハウジングであるか、又は、端子箱であることを特徴とする請求項１〜請求項１２のいずれか１つに記載のポンプ装置。
【請求項１４】
前記ポンプ装置は、定量ポンプ装置であるか、又は、遠心ポンプ装置であることを特徴とする請求項１〜請求項１３のいずれか１つに記載のポンプ装置。
【請求項１５】
前記第１のハウジング（２）は、内部に前記駆動モータ（１４）が配置され、かつ、一側でポンプ（４）と結合されるモータハウジングであり、前記操作装置（２０）は、前記モータハウジング（２）の、前記ポンプ（４）から離れた２つの面（３２、３４、３６）に選択的に位置決め可能であることを特徴とする請求項１〜請求項１４のいずれか１つに記載のポンプ装置。
【請求項１６】
前記操作装置（２０）は、該操作装置（２０）によって覆われる前記第１のハウジング（２）の壁（３２、３４、３６、３８）の少なくとも一部分と離隔して配置されることを特徴とする請求項１〜請求項１５のいずれか１つに記載のポンプ装置。
【発明の詳細な説明】
【技術分野】
【０００１】
本発明は請求項１の前段部分に記載のポンプ装置に関する。
【背景技術】
【０００２】
ポンプ装置としては、定量ポンプ装置又は遠心ポンプ装置などが周知である。これらポンプ装置は実質的には２つの部分で形成されており、具体的には、ステータハウジング又は駆動部ハウジングと、この駆動部ハウジングと結合されるポンプユニットとで形成されている。最新のポンプは通常、駆動部に、電気駆動モータを作動させるための制御電子装置もしくは調節電子装置を備えるとともに、適切なディスプレイ要素又は操作要素を駆動部ハウジングの外側に有する。問題は、ポンプ装置の設置場所及び／又は取付け位置によっては、駆動部ハウジングの外側のディスプレイ要素及び操作要素が利用しづらく、又は見えにくくなり得ることである。
【発明の概要】
【発明が解決しようとする課題】
【０００３】
従って、本発明の課題は、そのようなポンプ装置を改良し、ポンプ装置の操作要素及び／又はディスプレイ要素を、ポンプ装置のさまざまな取付け場所及び／又は取付け位置でも十分に利用しやすく、かつ見えやすくすることである。
【課題を解決するための手段】
【０００４】
この課題は請求項１に記載された特徴を有するポンプ装置によって解決される。好ましい実施形態は、従属請求項、以下の説明、及び添付の図面から明らかである。
【０００５】
本発明によるポンプ装置は、例えば容積型ポンプ又は遠心ポンプといったポンプを駆動する駆動モータを備える。更に、このポンプ装置は、制御電子装置が配置される第１のハウジングを備える。この制御電子装置は、電気駆動モータの調節及び／又は制御のために使用される電子部品である。これは、外部から予め定められた値によって、又はポンプ装置自体で検出された値に基づいて駆動モータの回転数を設定もしくは調節する電子部品であり得る。この制御電子装置は特に、例えば駆動モータの回転数制御のための周波数変換器を備え得る。これはまた、例えば定量ポンプ装置において使用されるステッピングモータの作動制御のための電子機器であり得る。駆動モータの調節もしくは制御のための設定は、例えば外部の自動化システムから適切なインターフェイスを介して制御電子装置に送ることができ、又は手動の入力によって操作装置を介して行うこともできる。また、制御装置は、特定の運転状態、エラーメッセージ、又は他のパラメータを、ポンプ装置のディスプレイ装置にて表示できることが好ましい。
【０００６】
このために、本発明によれば、操作装置は少なくとも１つのディスプレイ要素又は操作要素を備える。本発明によれば、この操作装置は、制御電子装置が配置される第１のハウジングに固定的に組込まれてはいない。操作装置はむしろ、好ましくは着脱可能に第１のハウジングと結合可能な個別の部品として形成されている。また、第１のハウジング及び操作装置は、操作装置が少なくとも２つの異なる位置で着脱可能に第１のハウジングと結合可能であるように形成されている。更に好ましくは、操作装置は２つより多く、例えば３つ又は４つの異なる位置で第１のハウジングと結合可能であり得る。操作装置をさまざまな位置で第１のハウジングに装着可能であることにより、ポンプ装置の設置場所もしくは取付け位置に応じて、操作装置を、外部から十分に利用しやすく、もしくは良く見えるように第１のハウジングに配置できるという利点がある。これにより、取付け位置もしくは設置場所に応じて操作装置の位置決めもしくは配置をきわめて簡単に変更することができ、例えば異なる取付け場所のために異なるポンプ装置を提供する必要がない。
【０００７】
操作装置をいくつもの位置で第１のハウジングに装着可能であるように形成する代わりに、操作装置を、選択的に、第１のハウジングに装着可能であるか、又は第１のハウジングの外部に配置可能であるように形成することも可能である。従って、この実施形態によれば、操作装置を第１のハウジングから更に離隔して配置することができる。このために操作装置は、例えば第１のハウジングと分離して設置可能であり、又は例えば壁などの支持体に固定可能である。すなわち、この配置では、操作装置は第１のハウジングとの確実な機械的結合なしに配置することができる。あるいは、操作装置を第１のハウジングに直接取付けることができる。また、操作装置を、前述したように、代替的にはいくつもの異なる位置で第１のハウジングと結合可能とすることもできる。
【０００８】
操作装置を第１のハウジングと結合する場合、この結合は、当該結合が外部から取外し可能であるように行われることが更に好ましい。これにより、操作装置はポンプ装置の取付け後でも第１のハウジングから取外すことができ、第１のハウジングであっても、又は外部であっても、別の固定位置のうちの１つで離隔して配置することができるようになる。こうしてポンプ装置の設置に際して、操作装置の取付け位置を容易に変更することができる。
【０００９】
操作装置は、第１のハウジング内の制御電子装置と信号接続されていることが好ましい。この接続は、光学的導体及び／又は電導体を介して、又はワイヤレスでも、例えば誘導的に又は無線伝送によって行うことができる。また、操作装置と第１のハウジングとの間に、操作装置が第１のハウジングと所定の取付け位置のうちの１つで結合されると電導的に互いに接触する接触要素を配置することもできる。好ましくは、同一の信号接続が操作装置の異なる取付け位置で使用可能なように、信号接続が形成される。従って、例えばケーブルが可動性を有することに基づいて、ケーブル接続によって、操作装置の異なる取付け位置でも接続を確実に行うことができる。例えばプラグ接触などの接点が備えられている場合には、いくつもの接触場を配置し、取付け位置に応じて、操作装置の対応するポート接触がつねにこれら接触場のうちの１つのみと接触するようにすることも可能である。
【００１０】
操作装置は、好ましくは摩擦結合的及び／又は形状結合的に（換言すれば、非ポジティブ嵌合及び／又はポジティブ嵌合で）第１のハウジングと着脱可能に結合可能である。こうして、操作装置はハウジングとの係止結合によって結合することができる。あるいは又はそれに加えて、例えばボルト結合による固定も可能である。磁気的な固定又は別の適切な着脱可能な固定も考えられる。しかし、第１のハウジングにおける操作装置の固定は、誤った取外しを阻止するために、簡単に取外されないように形成されることが好ましい。従って、確実であるが着脱可能な結合が達成されるという点で、例えばボルト結合が好ましい。通常、操作装置はポンプ装置の取付け前又は取付け時に一回、所望の位置で第１のハウジングに固定され、ポンプ装置が後に別の取付け位置又は別の設置場所で使用されることがない限り、この位置にとどまる。
【００１１】
更に好ましくは、操作装置は少なくとも２つの異なる位置で第１のハウジングと結合可能であり、この異なる位置では、少なくとも１つのディスプレイ要素又は操作要素が、異なる空間方向に向き、好ましくは互いに直交する空間方向に向く。こうして、操作装置は、操作要素及びディスプレイ要素が、異なる側もしくは異なる方向から、操作可能であるかもしくはアクセス可能（視認可能）であるように、選択的に第１のハウジングに装着され得る。
【００１２】
操作装置は、第１のハウジングの、少なくとも２つの異なる方向に向けられた面に配置され、これら位置で第１のハウジングと結合可能であるように形成されていることが好ましい。ハウジングのこれら２つの面は、互いに角度が付けられて配置された第１のハウジングの側面もしくは側壁であるか、あるいは湾曲した又は円形状のハウジングの異なる円周部分であってもよい。これら部分である側壁は、異なる空間方向に向けられ、すなわち互いに背けられる。操作装置が第１の面又は第２の面又は場合により更なる面のいずれかに位置決めされ得、同様に、異なる方向に方向づけられて第１のハウジングに装着され得るように、操作装置は少なくとも２つの位置で第１のハウジングと結合されることが好ましい。
【００１３】
更なる好ましい実施形態によれば、第１のハウジングは多面体であり、好ましくは略直方体形状であり、操作装置は少なくとも２つの異なる側壁に第１のハウジングと結合可能に位置づけられ、好ましくは３つの異なる側壁に第１のハウジングと結合可能に位置付けられる。こうして、操作装置は、例えば２つ又は３つの異なる側壁で、基礎体を形成する第１のハウジングに装着できる。これは例えば直方体形状のハウジングでは２つの対向する側壁と、その間に位置してこれらを結合する側壁と、であるため、操作装置を３つの異なる角度位置、具体的には０°、９０°、及び１８０°で第１のハウジングと結合可能とすることができる。従って、例えば直方体形状のハウジングはその２つの側面において、又はこれら側面の間に位置した端面において操作装置を保持することができる。
【００１４】
便宜上、第１のハウジングは第１の壁を含んで構成され、これを通して操作装置との信号接続がもたらされる。また、操作装置は２つの接触面を含んで構成され、これら接触面のうち第１の接触面は第１のハウジングの第１の壁と接触し、第２の接触面は第１の壁に隣接する第１のハウジングの少なくとも２つの壁と選択的に接触する。この構成の利点は、第１の壁の範囲内で、操作装置の第１の接触面に向かって、操作装置と第１のハウジングの内部の制御電子装置もしくは調節電子装置との間に信号接続を確立できることである。このようにして、信号接続が第１のハウジングにおける操作装置の位置決めに依存しないことが可能となる。例えば制御電子装置と操作装置との間の電気接続ケーブルを、第１の壁を通して、操作装置の隣接する第１の接触面へ誘導することができる。異なる位置決めを行う際には、この操作装置は単に異なる角度位置でハウジングに装着されるが、第１の壁はつねに操作装置の第１の接触面と接触しているため、操作装置を第１のハウジングにさまざまに位置決めして装着できるようにするには、接続ケーブルを特定の角度に曲げるか回転させるだけでよい。好ましくは、第１の壁は直方体形状のハウジングの上面であり、操作装置はこの上面に隣接した３つの側壁、例えば２つの対向する側壁及びその間に位置する直方体形状の第１のハウジングの端壁に、その第２の接触面をもって装着可能である。その際、操作装置の第１の接触面はつねに第１の壁の上方に位置し、好ましくは直方体形状のハウジングの上面の上方に位置する。
【００１５】
前述の意味での接触は、接触面と壁との間の直接的で平面的な接触とだけ解釈されるものではない。むしろこの定義は、場合によっては単に範囲を限った接触又は点状の接触、及び離隔要素（スペーサ要素）を介した間接的な接触とも解釈される。従って、例えば、第１のハウジングの壁は構造的に、例えば波形に形成されてもよく、操作装置の接触面は波形の頂部表面（リブの上面）のみに接触する。また、第１のハウジングの壁と操作装置の接触面との間には、特に熱的分離のための断熱要素の形でスペーサ要素を配置することも可能であるため、接触面と当該接触面に面する第１のハウジングの壁との間の少なくとも一部には自由空間もしくは空隙が残っている。第１のハウジングと操作装置との間の凝縮水の生成を回避し、又は凝縮水の排出を改善するためには、このような配置が好ましいと言える。また、第１のハウジングにおいて余熱を発生させる部品、例えばパワーエレクトロニクスが存在する場合にも、断熱が好ましいと言える。これにより特に操作要素を第１のハウジングから熱的に分離することができるため、操作要素に触れた際に火傷を負う危険がない。また、第１のハウジング内で熱を発生する部品から熱的に分離させるために、更なる熱的に敏感な部品を操作装置に移設させることも可能である。更に、操作装置を、当該操作装置によって覆われる第１のハウジングの壁の少なくとも一部分と離隔して配置することによって、部品冷却用の空気が、操作装置と第１のハウジングとの間で妨げられずに循環できる可能性がある。
【００１６】
第１のハウジングの互いに隣接した２つの壁と接触する、もしくは部分的に覆う操作装置の２つの接触面は、好ましくは互いに角度が付けられて延在し、更に好ましくは互いに９０°の角度を成して延在する。こうして、多面体、特に直方体形状のハウジングの場合には、操作装置が第１のハウジングの２つの壁の間の縁を包囲するため、操作装置の接触面は第１のハウジングの互いに隣接した２つの壁を少なくとも部分的に覆うことが可能であり、もしくはこれら２つの壁に接触することが可能である。
【００１７】
少なくとも１つのディスプレイ要素及び／又は操作要素は、操作装置の前面に配置されることが更に好ましく、当該前面は、１つの接触面に対して角度が付けられて延在し、好ましくは両方の接触面に対して角度が付けられて延在する。これにより、前面が十分に、かつ好ましくは正面から見られるように、ディスプレイ要素及び／又は操作要素の傾斜配置が選択され得るので、操作容易性と読みやすさとを得ることができる。前面は、５°〜８０°の範囲内の角度で、好ましくは１０°〜６０°の範囲内の角度で、特に１５°〜３０°の範囲内の角度で、少なくとも１つの接触面に対して角度が付けられることが好ましい。例えば前面は４５°の角度が付けられ得るため、直方体形状のハウジングの場合には、前面はハウジングの互いに隣接した２つの壁間の角の二等分線に垂直な方向に延在するのが好ましい。従って、前面が例えば直方体形状のハウジングの上縁の上方に斜めに配置され、操作装置の第１の接触面が直方体形状のハウジングの上面の上方に位置し、操作装置の第２の接触面が直方体形状のハウジングの側壁に密接していると、操作要素及び／又はディスプレイ要素を備えた前面パネルは上方から斜めに最適に見られるようになる。
【００１８】
更なる好ましい実施形態によれば、ハウジングの第１の壁には好ましくは円形状の開口が形成されており、信号線もしくはケーブルがこの開口を通って操作装置につながる。操作装置は、この円形状の開口の周りを回転可能であってもよい。すると、特に操作装置では、対応する円形状の開口が、第１のハウジングの第１の壁の開口に一致するように配置されるため、これら開口は、操作装置が第１のハウジングに装着されると、重なり合うことになる。操作装置の開口と第１のハウジングの開口との間には、この接合部分での第１のハウジング及び／又は操作装置の内部への湿気の侵入を阻止できるように、更にシール部材が備えられてもよい。ここで、開口が丸もしくは円形の形状を成すことより、Ｏリングをシール部材として使用することが可能となり、これにより簡単にシール性を確保することができる。更に、これら開口が円形状である場合には、操作装置の、異なる角度位置においても、開口の縦軸を中心としてこれら開口同士を完全に一致させることができる。こうして、操作装置が第１のハウジングにおいて位置決め可能であるさまざまな角度位置であっても、同一のシール部材で容易にシール性を確保することができる。
【００１９】
特に好ましくは、第１の壁の開口の中心点もしくは回転軸又は対称軸は、この第１の壁に隣接し、かつ、操作装置が位置決めされ得る少なくとも２つの壁の各々の縁から同じ距離で離隔している。従って、第１のハウジングにおける円形状の開口は、その開口の中心点が第１のハウジングの隣接した２つ又は３つの側壁の各々の縁から同じ距離で離隔されるように、例えば直方体形状のハウジングの上面に配置され得る。すると、操作装置は、上から見て相互間が９０°間隔の２つ又は３つの角度位置で第１のハウジングに装着可能であり、ここにおいて、操作装置の第１の接触面及び特に操作装置に形成された開口は、つねに一致して上面すなわち第１のハウジングの第１の壁の中央の開口に配置される。そうすると、操作装置の第２の接触面は、ハウジングの第１の壁に隣接したいくつもの側壁のうちの１つに選択的に接触するか、もしくは当該１つの側壁を選択的に覆う。ここにおいて、操作装置は、ハウジングの第１の壁と、隣接した側壁との間の縁を囲む。
【００２０】
本発明の好ましい実施形態によれば、第１のハウジングは、内部に駆動モータが配置されるモータハウジングであるか、又は端子箱である。モータハウジング内には駆動モータ及び制御電子装置が配置され得る。こうして、例えば定量ポンプ装置では駆動モータ、場合によりギヤボックス及び制御電子装置をモータハウジング内に配置することができ、また、このハウジングには好ましくは一側にポンプヘッドが装着される。ポンプヘッドはこの場合に好ましくは直方体形状のモータハウジングの一端面（正面）に装着され、操作装置は、当該モータハウジングの反対側の端面（背面）又は両端面を結合する２つの側面の少なくとも一方に選択的に装着できるように形成されており、ここで好ましくは操作装置の第１の接触面がつねに、２つの側壁及び２つの端面に隣接する第１のハウジングの上面に配置される。しかし、別の、特に多面体のハウジング形態の場合、ハウジングにおける操作装置の別の選択的な位置決めも可能である。
【００２１】
別のポンプ装置では、制御電子装置及び駆動モータは同一のハウジングに配置されないことが可能である。それゆえ、例えば制御電子装置は、分離されたハウジングに配置可能であり、特に端子箱に配置可能であり、この端子箱は例えばステータハウジング又はモータハウジングと結合される。この場合、操作装置については、選択的に少なくとも２つの異なる位置もしくは２つの異なる状態で端子箱に位置決め可能であり得ると共に、固定可能であり得る。ここで端子箱は特に、ポンプ装置の電気接続線が電気的に接続されているような部品である。前述したように、ポンプ装置は好ましくは定量ポンプ装置であるが、例えば遠心ポンプ装置又は別のポンプ装置であってもよい。本発明によるポンプ装置が遠心ポンプ装置である場合には、更に好ましくは、湿式遠心ポンプ装置、すなわち湿式電気駆動モータを備えるポンプ装置である。このようなポンプ装置は、例えば加熱循環ポンプ装置であり得る。ただし、これは、本発明が例えば乾式加熱循環ポンプ装置でも使用できる可能性を排除するものではない。
【００２２】
特に好ましくは、第１のハウジングは、駆動モータが配置され、かつ、一側でポンプと結合されるモータハウジングであり、ここにおいて、操作装置は、モータハウジングの、ポンプから離れた２つの面に位置決めされ得、好ましくは３つの面に位置決めされ得る。こうして、ポンプの取付け位置に応じて、操作装置を十分に利用しやすく、かつ読みやすいようにモータハウジングに位置決めすることができる。操作装置は、好ましくは、信号ランプ又はディスプレイの形態でのディスプレイ要素を含んで構成され、更に、例えばキー、スイッチ、押しボタン、及び／又は、例えば押しボタン付の回転つまみやダイヤルなどの回転操作要素などの操作要素を含んで構成され、これらは、制御電子装置を介したポンプ装置の機能や操作モード及びその他のパラメータの設定に使用される。また、操作装置は、データ伝送、信号処理、及び／又は、信号伝送などのための更なる電子部品を含むこともできる。しかしながら、実質的には、制御電子装置は操作装置には組込まれていないか、又は完全には組込まれていない。制御電子装置の少なくとも一部、特に重要な部分は、操作装置から独立した第１のハウジング、好ましくはモータハウジング又は端子箱に配置される。これにより、操作装置を比較的小さくて軽い部品として形成することができ、また、操作装置と制御電子装置との間の導線接続を信号線のみに制限することができる。特に、供給電圧に達するパワーエレクトロニクス部品を操作装置に配置する必要がなく、これによって安全性が改善される。
【図面の簡単な説明】
【００２３】
【図１】本発明によるポンプ装置の実施例としての定量ポンプ装置を示す側面図である。
【図２】図１の矢印ＩＩの方向で見たときの定量ポンプ装置の背面図である。
【図３】図１の定量ポンプ装置の断面図である。
【図４】操作装置が定量ポンプ装置の別の側面に配置されているときの、図１による定量ポンプ装置を示す側面図である。
【発明を実施するための形態】
【００２４】
以下、添付の図面を用いて本発明を例示的に説明する。
【００２５】
ここに示した定量ポンプ装置は、略直方体形状のモータハウジング２を含んで構成される。モータハウジング２の第１の端面（正面）にはポンプヘッド４が配置されており、これはその内部に定量室６のほか、通常の定量ポンプから周知であるように、吸引ポート８及び圧力ポート１０を備える。
【００２６】
モータハウジング２はベースプレート１２を備え、これによって定量ポンプを例えば支持コンソール上に配置することができ、又は別の適切な方法で支持体に固定することができる。モータハウジング２内には電気駆動モータ１４が配置されており、これはギヤボックス１６を介してポンプヘッド４の膜（ダイヤフラム）１５を駆動する。更に、駆動モータ１４の作動の制御もしくは調節のために、モータハウジング２内には、制御電子装置１８が、適切に組立てられた回路基板の形態で配置されている。制御電子装置１８は駆動モータ１４及びポンプ全体の制御もしくは調節を引き受ける。駆動モータ１４は、例えばステッピングモータとして形成され得る。ポンプヘッド４における膜１５のストロークのストローク速度及びストローク長さを所定の値に従って設定するために、また、場合によっては、ポンプ装置内又はポンプ装置外のセンサを介して測定されたパラメータに応じてそれらを調節又は制御するために、駆動モータ１４は制御電子装置１８によって適切に作動制御される。制御電子装置１８に特定の設定値もしくはパラメータを提供できるように、また、制御電子装置１８から信号の特定情報を取出すことができるように、更に操作装置２０を有する。更に、電気接続部２２を備えており、これを介して制御電子装置１８は、ポンプ装置の監視もしくは制御の用途で、外部の電子装置と接続もしくは連結することができる。
【００２７】
モータハウジング２における操作装置２０の配置は本発明に不可欠である。モータハウジング２は直方体形状の第１のハウジングを形成するが、操作装置２０はその基本形状から直方体形状の第２のハウジングとして形成される。操作装置２０は前面２４を備え、当該前面には、ここではディスプレイ要素としてディスプレイ２６と、２つの押しボタン２８及び回転つまみ３０の形態の操作要素とが配置されているが、これについて図１には軸のみが示されている。
【００２８】
操作装置２０は、ここに示された例における操作装置２０が３つの異なる位置でモータハウジング２と結合可能であるように、モータハウジング２と共に形成される。こうして、操作装置２０は、図１、図２、及び図３に示されているように、ポンプヘッド４から離れた背面側端面３２に位置するように配置され得る。あるいは、操作装置２０は、端面３２に隣接した２つの側壁３４、３６のうちの一方に配置され得る。ここで、図４には側壁３６での配置が示されている。従って、操作装置２０の前面２４は、その配置に応じて、互いに直交する３つの異なる空間方向に向くように、すなわち垂直軸に対して０°、９０°、及び１８０°の３つの位置で、選択的に配置され得る。
【００２９】
しかし、３つのすべての可能な位置決めにおいて操作装置２０はモータハウジング２の上面３８と接触したままである。モータハウジング２の上面３８には円形状の開口４０が形成されており、その周囲には、上面３８を形成するモータハウジング２の壁が、カラー状に外方に向かって突出している。この開口４０のカラー４１は、操作装置２０の底面又は第１の接触面４４の対応する円形状の開口４２に係合する。開口４０のカラー４１の周囲にはＯリングシール４６が配置されており、これにより操作装置２０のハウジングがこの範囲でモータハウジング２に対してシールされるため、開口４０と開口４２との間の移行部では、操作装置２０を形成するハウジングとモータハウジング２との間の密封結合がもたらされている。
【００３０】
信号線もしくはケーブル４５は、制御電子装置１８から、開口４０、４２を通って、操作装置２０の内部に誘導されて、更に、その操作要素及びディスプレイ要素、すなわち押しボタン２８、回転つまみ３０、及びディスプレイ２６につなげられる。開口４０の中心軸Ａは、上面３８と背面側端面３２との間の縁と、側壁３４と上面３８との間の縁と、側壁３６と上面３８との間の縁とから、それぞれ同じ距離で離隔している。これにより、操作装置２０を開口４０の中心軸Ａに対して３つの異なる角度位置、すなわち０°、９０°、及び１８０°の位置でモータハウジング２の上面３８に取付けることができ、ここにおいて、各位置で、開口４０のカラー４１が操作装置２０の第１の接触面４４の開口４２に嵌合し得る。また、第２の接触面４８が背面側端面３２、側壁３４、３６のうちの１つに選択的に接触する。第１の接触面４４及び第２の接触面４８はここに示された例では互いに９０°の角度を成すように形成されており、それぞれが操作装置２０のハウジング壁の一部を形成する。操作装置２０及び直方体形状のモータハウジング２は、その幾何学上の基本形状から、２つの互いに嵌合する直方体を形成し、ここにおいて、モータハウジング２は、いずれの場合であっても、その側縁にて、接触面４４及び４８によって形成された操作装置２０の直角の受容部に嵌合する。
【００３１】
モータハウジング２の３つの側壁３２、３４、３６での操作装置２０の選択的な配置可能性にもかかわらず、制御電子装置１８と、操作装置２０の電気部品もしくは電子部品との間のケーブル接続もしくは導線接続４５はきわめて簡単に実現され得る。このようなケーブル接続又は導線接続４５は一定の柔軟性もしくは一定の遊びを可能とするに過ぎないが、この遊びにより、操作装置２０を限られた範囲内で上面３８から上方へ持ち上げることが可能となる。これに関して、操作装置２０を軸Ａに対して９０°移動させるために、その第２の接触面４８が背面側端壁面３２と側壁３４との間の角の周り及び／又は背面側端面３２と側壁３６との間の角の周りを移動できる程度に、操作装置２０を持ち上げることができ、場合によっては傾斜させることができればよい。その後、操作装置２０は再び下方へ動かされ、上面３８に載置されて、開口４０が開口４２に適合して接触し、もしくは開口４０のカラー４１が開口４２内に入る。モータハウジング２の第１の壁を形成する上面３８での第１の接触面４４の接触と、モータハウジング２の第２の壁を形成する背面側端面３２、側壁３４、３６のうちの１つでの第２の接触面４８の接触と、によって、操作装置２０はモータハウジング２の縁に形状結合的に配置される（換言すればポジティブ嵌合する）。この縁に沿った操作装置２０のずれはカラー４１の開口４２への嵌合によって阻止される。それに加えて、操作装置２０はねじによって上面３８に固定され得、ここにおいて、図示されていないねじが操作装置２０の穴５０によって案内される。
【００３２】
前面２４は、ここに示された例では、１５°の角度αで垂直線Ｘに対して傾斜している。それによって、ポンプを上方から斜めに見る場合でのディスプレイ２６の読みやすさが改善される。しかし、前面２４は別の角度α、特に１０°〜７０°の範囲内の角度で傾斜され得る。操作装置２０の上面５２及びこれに平行に延びる底面５４は、前面２４に対して９０°の角度を成して延在する。この点において、操作装置２０が取付けられた状態のとき、操作装置２０の上面５２も、モータハウジング２の上面３８に対して角度α、ここでは１５°で傾斜している。基本形状から操作装置２０はさいころ形を形成し、当該さいころ形はモータハウジング２の直方体形の基本形状に嵌合し、もしくはこれと交差する。
【００３３】
３つの異なる位置での操作装置２０の配置可能性の利点は、ポンプの取付け位置に応じて、操作装置２０の前面２４が十分に利用しやすく見えやすいように調整できることである。例えば、ポンプヘッド４が壁に向かうように設置される場合には、図１〜図３に示されているように、操作装置２０を背面側端面３２に配置するのが有利である。これに対して、定量ポンプの側壁３４が壁に対して平行になるように設置される場合には、図４に示されているように、操作装置２０を反対側の側壁３６に配置するのが有利である。
【符号の説明】
【００３４】
２  モータハウジング
４  ポンプヘッド
６  定量室
８  吸引ポート
１０  圧力ポート
１２  ベースプレート
１４  駆動モータ
１５  膜
１６  ギヤボックス
１８  制御電子装置
２０  操作装置
２２  接続部
２４  前面
２６  ディスプレイ
２８  押しボタン
３０  回転つまみ
３２  背面側端面
３４、３６  側壁
３８  上面
４０  開口
４１  カラー
４２  開口
４４  第１の接触面
４５  ケーブル
４６  シール部材
４８  第２の接触面
５０  穴
５２  上面
５４  底面
Ａ  開口４０及び４２の中心軸
Ｘ  垂直線
α  前面２４の傾斜角
【図１】
2013517423.tif 000003
【図２】
2013517423.tif 000004
【図３】
2013517423.tif 000005
【図４】
2013517423.tif 000006
【国際調査報告】
2013517423.tif 000007
2013517423.tif 000008
2013517423.tif 000009
2013517423.tif 000010